(57)【要約】【課題】簡単な機構で紫外線照射装置の安全性を高める。【解決手段】記録ヘッド８に紫外線照射装置１２が隣接されている。紫外線照射装置１２は、紫外線照射口４２と、紫外線照射口４２に対向して配置された紫外線ランプ１８と、紫外線照射口４２を開閉する方向に揺動自在に支承されたシャッター板３６と、シャッター板３６を揺動方向に駆動するパルスモータ４０を備え、シャッター板３６は自由揺動状態のとき自重により紫外線照射口４２を閉じる位置に自動的に復帰する。【選択図】  図１
2004284211.tif 000002
【特許請求の範囲】
【請求項１】
記録ヘッドから吐出された紫外線硬化型インクにより形成された印字部に紫外線を照射し、印字部を硬化するインクジェットプリンタの紫外線照射装置であって、紫外線照射口と、該紫外線照射口に対向して配置された紫外線ランプと、前記紫外線照射口を開閉する方向に揺動自在に支承され自由揺動状態のとき自重により前記紫外線照射口を閉じる位置に自動的に復帰するシャッター板と、前記シャッター板を揺動方向に駆動する該シャッター板に連結されたパルスモータとを備えたことを特徴とするインクジェットプリンタの紫外線照射装置。
【請求項２】
前記シャッター板に重りを設け、前記シャッター板の自重による復帰方向の揺動が確実に行われるようにしたことを特徴とする請求項１に記載のインクジェットプリンタの紫外線照射装置。
【発明の詳細な説明】
【０００１】
【発明の属する技術分野】
本発明は、紫外線硬化型インクを用いたインクジェットプリンタの紫外線照射装置に関する。
【０００２】
【従来の技術】
従来、誤動作によって生じる紫外線やオゾンによる事故を適切に防止可能な安全機構を備えた紫外線発光器が知られている（例えば特許文献１参照）。
また照射側にシャッタを設けた紫外線照射装置も知られている（例えば特許文献２参照）。
【０００３】
【特許文献１】
特開平１０−２９０８２５号公報（第１ページ、第２図）
【特許文献２】
特開平７−２１３９７７号公報（第２ページ、第１図）
【０００４】
【発明が解決しようとする課題】
紫外線は目などに入ると有害であり、取り扱いについては注意が必要である。また、紫外線ランプは非常に高温になるため（表面においては８００度にもなる）、その周囲も非常に高温にさらされる事になる。そのため、紫外線照射装置には一般的にシャッター機構が設けられ、紫外線ランプ不使用時は、シャッターが働くようになっており、紫外線が外に漏れてくる事と紫外線ランプの高温から隔離されるようにされている。しかしながら、紫外線ランプ発光時、シャッター機構の電源がアクシデントで切れてしまうことがある。
本発明はこのような場合に、シャッターが自動的に紫外線照射口を閉じる方向に揺動するようにして、紫外線ランプから発生する紫外線が外部に漏れないようにし、更にランプの高温から基板、メディアなどが隔離されるようにすることを目的とするものである。
【０００５】
【課題を解決するための手段】
上記目的を達成するため、本発明は、記録ヘッドから吐出された紫外線硬化型インクにより形成された印字部に紫外線を照射し、印字部を硬化するインクジェットプリンタの紫外線照射装置であって、紫外線照射口と、該紫外線照射口に対向して配置された紫外線ランプと、前記紫外線照射口を開閉する方向に揺動自在に支承され自由揺動状態のとき自重により前記紫外線照射口を閉じる位置に自動的に復帰するシャッター板と、前記シャッター板を揺動方向に駆動する該シャッター板に連結されたパルスモータとを備えたものである。
また本発明は、前記シャッター板に重りを設け、前記シャッター板の自重による復帰方向の揺動が確実に行われるようにしたものである。
【０００６】
【発明の実施の形態】
図３において、符号２はインクジェットプリンターのＹレールであり、機体４に支持具を介して固設されている。６はヘッドキャリッジであり、上部が前記Ｙレール２に、これに沿って即ちＹ軸方向に往復動可能に連結している。前記ヘッドキャリッジ６の記録ヘッド搭載部６ａには、複数個のインクジェット記録ヘッド８が取り付けられ、各記録ヘッド８のヘッド本体は、ヘッドキャリッジ８のヘッド搭載部６ａに穿設された開口部６０に遊嵌し、このヘッド本体と一体的な枠体がヘッドキャリッジ６のヘッド搭載部６ａに固定されている。
【０００７】
前記ヘッドキャリッジ６のサブタンク支持部には、複数個のサブタンク１０が取り付けられ、該各サブタンク１０と、これらに対応する各記録ヘッド８とは、チューブを介して連結している。前記キャリッジ６の記録ヘッド搭載部６ａの左右両側には、ＵＶランプ（紫外線ランプ）を備えた紫外線照射装置１２，１２が設けられている。
【０００８】
前記紫外線照射装置１２は、底部が開放されたボックス状のカバー１６の内部に、紫外線ランプ１８を備えた紫外線照射ユニット２０が格納されている。前記紫外線照射ユニット２０は、図１に示すように、底部と左右両側部が開放された断面コ字状のフレーム２２と、該フレーム２２の内部に固設された反射板２４と、該反射板２４内に内置された紫外線ランプ１８と、前記フレーム２２の内部に取り付けられた配線コネクタとから構成されている。
【０００９】
前記紫外線ランプ１８は、全体が前記インクジェット記録ヘッド８の主走査方向の印字幅に対応して、長手方向に所定の長さ延びる細長形状となっており、その両端部が、ランプホルダーによって、前記フレーム２２の側壁に固定されている。前記反射板２４は下面が開放された半円筒型のドーム状に構成されている。前記フレーム２２の天壁には排気穴２６が穿設され、反射板２４の上部にも排気穴２８が形成されている。また、カバー１６の天壁には、ファン３０とダクト３２が設けられている。
【００１０】
この構成により、印字時、反射板２４の内部に紫外線ランプ１８により発生したオゾンや熱などがファン３０によって吸引され、前記排気穴２８，２６及びダクト３２を通じて外部に排気されるように構成されている。前記カバー１６の側壁にはシャッター機構が支持されている。前記シャッター機構は、図３に示すように、逆Ｔ型のシャッター板ホルダ３４ａ，３４ｂと断面が弓状のシャッター板３６とから成り、ホルダ３４ａ，３４ｂの上部に同軸上に突設された軸部３８ａ，３８ｂが前記カバー１６の両側壁に軸受けを介して回転自在に支承されている。
【００１１】
前記カバー１６の一方の側壁にはパルスモータ４０が固定され、該パルスモータ４０の出力軸が前記ホルダ３４ａの軸部３８ａに連結している。前記シャッター板３６は、ホルダ３４ａ，３４ｂの軸部３８ａ，３８ｂを中心とする回転中心からかなり離れて形成され、この偏心構造により、シャッター機構に外部応力が加わらないフリー回転状態において、シャッター機構は、そのシャッター板３６及びホルダ３４ａ，３４ｂの重量によって、軸部３８ａ，３８ｂを中心としてシャッター板３６が紫外線照射口４０を閉じる方向に回転するように構成されている。
【００１２】
尚、このシャッター板３６の復帰運動をより確実にするために、シャッター板３６の中央に重り４４が設けられている。前記シャッター板３６が下方に移動した状態において、反射板２４の開放部即ち紫外線照射口４０が図１に示すように、シャッター板３６によって遮蔽され、外部にランプ１８の紫外線が漏れないようにされ、さらに紫外線ランプの高温から基板などが守られるように構成されている。シャッター板３６が下方に移動し、紫外線照射口４０を閉じると、ホルダ３４ａは、カバー１６の側壁に固設されたストッパー４６に係止される。
【００１３】
前記シャッター機構の駆動は、コントローラによって制御されるパルスモータ４０によって行われ、紫外線を使用しないときは、シャッター機構は紫外線照射口４０を閉じる方向に駆動される。パルスモータ４０の駆動力によって、シャッター板３６が図２に示すように、反射板２４の側方に引き上げられ、紫外線照射口４０が開いた状態において、アクシデントにより、シャッター機構の電源が切れ、パルスモータ４０への通電がオフとなると、パルスモータ４０の励磁保持力が消える。これにより、シャッター機構は、自由回転状態となり、シャッター板３６が自重により下降して、紫外線照射口４０を閉じる。尚、シャッター板３６が上昇位置から下降位置に自重で落下揺動するとき、この落下揺動がスムーズに行われるように、ホルダ３４ａ又は３４ｂの軸部３８ａ又は３８ｂにダンパーなどを連結するようにしても良い。
【００１４】
【発明の効果】
本発明は上述の如く構成したので、簡単な構成で紫外線照射装置の安全性を高めることができる。
【図面の簡単な説明】
【図１】紫外線照射装置の断面図である。
【図２】紫外線照射装置の断面図である。
【図３】シャッター機構の外観図である。
【図４】インクジェットプリンタの外観図である。
【符号の説明】
２      Ｙレール
４      機体
６      ヘッドキャリッジ
８      インクジェット記録ヘッド
１０    サブタンク
１２    紫外線照射装置
１４    プラテン
１６    カバー
１８    紫外線ランプ
２０    紫外線照射ユニット
２２    フレーム
２４    反射板
２６    排気穴
２８    排気穴
３０    フアン
３２    ダクト
３４ａ  シャッター板ホルダ
３４ｂ  シャッター板ホルダ
３６    シャッター板
３８ａ  軸部
３８ｂ  軸部
４０    パルスモータ
４２    紫外線照射口
４４    重り
４６    ストッパー
６０    開口部
【図１】
2004284211.tif 000003
【図２】
2004284211.tif 000004
【図３】
2004284211.tif 000005
【図４】
2004284211.tif 000006